(57)【要約】【課題】映像表示装置において、スピーカが発生する音声が筐体を伝播して、例えば映像情報を記録再生するためのレコーダを誤動作させる問題を低減したい。【解決手段】スピーカと筐体を例えばネジ止めする際に、弾性体による防振材を挟んで固定する。固定した状態において、スピーカの前フレームと対向する筐体のリブ部の間は、独立気泡型のクッション材を用いて塞ぐ。これによりスピーカの発生した音声に起因する筐体の振動を低減できる。クッション材は軽く圧縮された状態で固定されるため、スピーカから装置内部への音漏れが低減されるため、ユーザは良好な音質で音声を聞くことができる。【選択図】図６
2011182050.tif 000002
【特許請求の範囲】
【請求項１】
映像を表示するための映像表示装置であって、
前記映像を表示する映像表示部と、
前記映像に伴う音声を出力するスピーカと、
前記映像表示部及びスピーカが取付けられた筐体と、
前記スピーカの前記筐体に対する取付け部と前記筐体のスピーカ取付け部の間に位置する防振材と、
前記スピーカの開口周辺と前記筐体との間に設けられ、前記防振材よりも硬度の低いクッション材を有することを特徴とする映像表示装置。
【請求項２】
請求項１に記載の映像表示装置において、前記映像表示部が表示する映像情報と前記スピーカが出力する音声情報を記憶するレコーダ部を有することを特徴とする映像表示装置。
【請求項３】
請求項１に記載の映像表示装置において、前記防振材は弾性体を含み、前記クッション材は独立気泡型の材料を含むことを特徴とする映像表示装置。
【請求項４】
請求項１に記載の映像表示装置において、前記スピーカの取付け部は前記筐体のスピーカ取付け部に対して前記防振材を介してネジ止めで固定されるものであって、前記スピーカの固定時における前記クッション材の前記筐体と前記スピーカの間の厚さは、ネジ止めによる加重がない場合の厚さよりも略１ｍｍ圧縮されることを特徴とする映像表示装置。
【請求項５】
請求項１に記載の映像表示装置において、前記筐体は前記スピーカの前記映像表示装置の外部側に向いた外周部に対向する部分には、前記クッション材と接触するリブ部を有し、該リブ部の幅は略２ｍｍ以上であることを特徴とする映像表示装置。
【発明の詳細な説明】
【技術分野】
【０００１】
本発明は映像表示装置に係り、特にスピーカが発生する音声による振動を低減した映像表示装置に関するものである。
【背景技術】
【０００２】
テレビジョン受信装置をはじめとする映像表示装置は、表示する映像に伴う音声を発生させるためのスピーカを同じ筐体内に備えることが多い。このスピーカが取付けられた装置の筐体を介して、スピーカから発生された音声による振動が装置内に伝播される。この振動は筐体全体のビリツキの原因となるために望ましくない。
【０００３】
また、最近の映像表示装置においては、映像信号や音声信号を記録再生するためのＨＤＤ（Hard Disc Drive）レコーダを内蔵するものが増加している。前記した振動がＨＤＤに伝わると、記録再生動作を誤動作させエラーレートを増加させることがある。このため、ＨＤＤ等の記録再生装置を内蔵した映像表示装置では従来以上に振動の低減を行う必要がある。
特許文献１においては、スピーカが発生する音声でＨＤＤレコーダが誤動作しないよう、ＨＤＤレコーダ側で振動対策する方法が開示されている。特許文献２においては、筐体の振動レベルを振動センサで検出し、所定値よりも大きい場合にはスピーカ音量を低減して、ＨＤＤレコーダの誤動作を低減する方法が開示されている。
【先行技術文献】
【特許文献】
【０００４】
【特許文献１】特開２００７−３００２８１号公報
【特許文献２】特開２００７−１５１０１７号公報
【発明の概要】
【発明が解決しようとする課題】
【０００５】
前記した特許文献は振動の低減を狙ったものであるが、次の点に注意する必要がある。
特許文献１では、音声を発生するスピーカ側ではなく、振動されるＨＤＤレコーダ側で振動を低減するようにしている。このため低減効果が装置全体には波及せず、筐体のビリツキなどの問題は対策されない。また、ＨＤＤレコーダ周辺の防振材が必要であり、場合によってはエラー訂正が充分にできるよう、記録再生するデータのためのバッファメモリの容量を増加させる必要があるなど、部品点数やコストの増大につながる。
【０００６】
特許文献２では、振動が大きい時の音声が相対的に小さくなることにより、ユーザが満足するような視聴効果をあげることができない。さらに振動センサ、振動の所定値との比較器や追加ソフトウェアなど新たな構成要素が必要であり、部品点数やコストの増大につながる。
本発明の目的は前記した問題に鑑み、スピーカが発生する音声による振動を低減した映像表示装置を提供することにある。
【課題を解決するための手段】
【０００７】
前記課題を解決するため本発明は、映像を表示するための映像表示装置であって、前記映像を表示する映像表示部と、前記映像に伴う音声を出力するスピーカと、前記映像表示部及びスピーカが取付けられた筐体と、前記スピーカの前記筐体に対する取付け部と前記筐体のスピーカ取付け部の間に位置する防振材と、前記スピーカの開口周辺と前記筐体との間に設けられ、前記防振材よりも硬度の低いクッション材を有することを特徴としている。
また本発明は、前記した映像表示装置において、前記映像表示部が表示する映像情報と前記スピーカが出力する音声情報を記憶するレコーダ部を有することを特徴としている。
【発明の効果】
【０００８】
本発明によれば、スピーカが発生する音声による振動を低減した映像表示装置を提供でき、映像表示装置の基本性能の向上に寄与できるという効果がある。また、本発明をレコーダ部が内蔵された映像表示装置に適用すれば、スピーカの振動のレコーダ部への伝達を好適に抑制でき、レコーダ部における誤動作やエラーを防止することができる。
【図面の簡単な説明】
【０００９】
【図１】本発明の一実施例における映像表示装置の背面図である。
【図２】本発明の一実施例におけるスピーカの背面図である。
【図３】本発明の一実施例における防振材の平面図と側面図である。
【図４】本発明の一実施例における筐体のスピーカ取付け部を示す背面図である。
【図５】本発明の一実施例における筐体へのスピーカ取付け状態を示す背面図である。
【図６】本発明の一実施例における筐体へのスピーカ取付け状態を示す断面図である。
【図７】本発明の一実施例における筐体へのスピーカ取付け方法を示す斜視図である。
【発明を実施するための形態】
【００１０】
以下、本発明の実施例につき図面を用いて説明する。
本実施例においては、音声を発生させるスピーカを映像表示装置の筐体に取付ける際の取付けの構成に、一つの特徴を有するものである。
【００１１】
従来は、例えば略楕円形のスピーカにおける長手方向の端部に設けられた筐体への固定部において、防振ゴムを挟んで筐体にネジ止めすることにより、スピーカから筐体への振動の伝達を防止するようにしていた。
前記固定部以外の筐体との接触部、例えばスピーカ前側のフレーム部は、該フレーム部の形状に合わせて設けられた筐体のリブに対して、前記ネジ止めによって直接押付けるか、薄い硬質ゴムなどの硬度の高いシート材を介して押付けるようにしていた。これにより、スピーカの発生する音声そのものが筐体の内部に漏れて、音質が低下する問題を対策していた。しかし、これは筐体に音声による振動が伝わる要因となっていた。この要因を解決して、装置全体に波及する振動低減の効果を得ることが、本実施例の一つの狙いである。
【００１２】
図１は、本発明の一実施例における映像表示装置の背面図であり、背面の外装を除去した状態で示している。映像表示装置の筐体１に対して、スピーカ２ａ、２ｂ、プラズマパネルや液晶パネルなどの表示パネル３が取付けられている。また、表示パネル３の背面シャーシには、ＨＤＤレコーダ４、回路基板５ａ〜５ｄが取付けられている。ＨＤＤレコーダ４、回路基板５ａ〜５ｄは、表示パネル３の背面シャーシに直接的に取付けるのではなく、表示パネル３を補強するために表示パネル３の背面側に固定された例えば棒状フレーム（図示せず）に取付けてもよい。スピーカ２ａ、２ｂは２チャンネルのステレオ音声出力の場合を例にとり、２個である場合を示しているが、もちろんこれは限定条件ではなく、３個以上ないし１個のみを備える場合も本実施例の範疇にある。
【００１３】
以下、二つのスピーカ２ａ、２ｂに共通する事項を述べる場合には、単にスピーカ２と記述する。スピーカ２は、図１では筐体１の前面（前枠）に取付けられる場合を示しているが、これも限定条件ではなく側面などに取付けても良い
図２は、本発明の一実施例におけるスピーカ２の背面図（スピーカ開口の反対側から見た図）である。ここでは一例としてスピーカの開口形状が楕円型である場合を示す。ボイスコイル部２０が生成する音声振動とともに、コーン部２１が振動して音声を発生する。先の筐体１への取付け部２２ａと２２ｂが、楕円形のスピーカ２の長手方向端部に設けられている。もちろんスピーカ２の形状、取付け部２２ａ、２２ｂの数や位置は、図２に限定されるものではない。取付け部２２ａ、２２ｂにはゴムなどによる防震材７（図３に記載）を着脱することができる。ボイスコイル部２０やコーン部２１は、例えば金属材によるフレーム２２ｃで支持されており、先の取付け部２２ａと２２ｂはフレーム２２ｃの一部でとして構成してもよく、またこれに固定される別部材として構成してもよい。
【００１４】
図３は、本発明の一実施例における防振材７の平面図（上側）と側面図（下側）である。側面図が示すように、防振材７のほぼ中央には、該防振材７を図２の取付け部２２ａ、２２ｂに嵌めこむための環状の凹部が形成されている。図２で示されるようにスピーカ２を置いて取付け部２２ａ、２２ｂに防振材７を取付ける場合には、防振材７は図３で上側の平面図で示す方向に置いて取付けられる。
【００１５】
図４は、本発明の一実施例における筐体１のスピーカ取付け部を示す背面図である。筐体１にはスピーカ２を取付けるための、装置の背面側（スピーカ２側）に突出したリブ部１１、及びその内部にネジ孔が形成された、装置の背面側（スピーカ２側）に突出した取付けボス１１ａ、１１ｂが設けられている。後記するようにリブ部１１の幅は例えば２ｍｍ程度と、やや厚めであることが望ましい。
【００１６】
図７は、本発明の一実施例における筐体へのスピーカ２の取付け方法を示す斜視図である。本実施例では、スピーカ２の開口の周囲に形成されたフレーム部２２ｃの淵部とほぼ相似或いは同一形状を有する楕円状で環状のクッション材６を、例えば両面テープや接着剤などによって、スピーカ２のフレーム部２２ｃの淵部に貼り付けている。クッション材６は筐体のリブ部１１の側に貼り付けても良い。このクッション材６は、上記防震材７よりも硬度が低い（ばね定数が小さい）弾性体であって、例えば独立気泡タイプの材質により形成されている。このクッション材６を介して、後述するようにスピーカ２と筐体１（に設けられたリブ１１）とが密着されている。
【００１７】
図５は、本発明の一実施例における筐体１へのスピーカ取付け状態を示す背面図である。先ずスピーカ２の取付け部２２ａ、２２ｂには、それぞれ防振材７ａ、７ｂが挿入され、筐体１の取付けボス１１ａ、１１ｂに対して例えば取付けネジ７ｃ、７ｄにより固定される。この際、スピーカ２のフレーム２２ｃの正面側、即ち筐体１のリブ部１１と対向する部分には防振材７ａ、７ｂよりも硬度が低い（ばね定数が小さい）弾性体で構成されたクッション材６が設けられる。スピーカ２が筐体１に固定された状態において、クッション材６は軽く圧縮された状態となっている。即ち、フレーム部２２ｃを筐体１に対して強く押付けることのない程度に固定されていることに、本実施例の一つの特徴がある。
【００１８】
図６は、本発明の一実施例における筐体１へのスピーカ取付け状態を示す断面図である。図６は、図５に付した破線において例えば上側から描いた断面図である。筐体１には装置の内側に向けて突出したリブ部１１が設けられている。リブ部１１にはクッション材６を介してスピーカ２のフレーム部２２ｃが、クッション材６を軽く圧縮した状態で固定されている。
【００１９】
クッション材６は、例えばエバーライト（商品名）ないしモラン（商品名）と呼ばれるような、音漏れや空気漏れを防止し、さらには振動の伝達を防止できる独立気泡タイプの材料を使用すると良い。もちろん前記した防振材７よりも硬度の低いものが良い。これにより従来とは異なり、スピーカ２のフレーム２２ｃから筐体１のリブ部１１に音声の振動が伝わることによる、映像表示装置の他の構成要素への振動の波及を防止することができる。前記したように、特にＨＤＤレコーダ４の動作の不具合を起こさないために有効であるが、本実施例は振動の発生元で振動の伝達を防止しているため、例えば筐体全体のビリツキも低減できるなど大きな効果がある。すなわち、上記の本実施例の特徴は、記録再生装置を内蔵しているか否かに関わらず、映像表示装置に好適に適用可能である。
【００２０】
また、前記したクッション材の選定により、スピーカ２のフレーム部２２ｃを筐体１に対して、クッション材６を強く圧縮するような固定方法をしなくとも、スピーカ２からクッション材６を介して映像表示装置の内部に音漏れを起こす問題を発生しない。クッション材６は、スピーカ２のフレーム２２ｃと筐体１のリブ部１１の間を、隙間なく塞ぐように設けられる。このため、ユーザはクリアな音質で音声を聞くことができるという効果もある。さらに本実施例は従来例と比較して、部品点数を増やすことはなく、新たな制御ソフトウェアを搭載する必要もない。
【００２１】
スピーカ２のフレーム部２２ｃをリブ部１１にクッション材６を軽く圧縮した状態で固定するには、次のようにすると良い。図６に示すように、スピーカ２を筐体１に取付けた際のクッション材６の厚さをａとする。スピーカ２の取付け前と比較して、厚さａが１ｍｍ程度小さくなるように各構成要素の寸法を設定することにより、他の構成要素への振動の波及を防止し、かつ装置の内部に音漏れを防止することができる。
【００２２】
また、クッション材６が軽く圧縮されるに留まるために、クッション材６がリブ部１１の周辺に外れる恐れがあるならば、これを防止するための突起をリブ部１１のクッション材６と接する面に設けても良いが、リブ部１１の厚さを例えば２ｍｍ程度とすれば、このような恐れを大幅に低減することができる。
【００２３】
ここまで示した実施形態は一例であって、本発明を限定するものではない。例えば以上述べた実施形態は、映像表示装置に対してのみ適用されるものではなく、スピーカを有する装置全般に適用できるものである。映像表示装置が内蔵するレコーダ部は、ＨＤＤレコーダに限らずＢＤ（Blu-ray）レコーダなどでも良く、振動の影響を受け易い機構部を有するレコーダであれば、本実施例は同様な効果を発揮するものである。したがい、本発明の趣旨に基づきながら異なる実施形態を考えられるが、いずれも本発明の範疇にある。
【符号の説明】
【００２４】
１：筐体、２：スピーカ、３：表示パネル、４：ＨＤＤレコーダ、６：クッション材、７：防振材、１１：リブ部、２０：ボイスコイル部、２１：コーン部、２２ａ，２２ｂ：取付け部、２２ｃ：フレーム部。
【図１】
2011182050.tif 000003
【図２】
2011182050.tif 000004
【図３】
2011182050.tif 000005
【図４】
2011182050.tif 000006
【図５】
2011182050.tif 000007
【図６】
2011182050.tif 000008
【図７】
2011182050.tif 000009